(57)【特許請求の範囲】
【請求項１】
撮影画面内の複数ポイントを順次測距するカメラの測距装置において、
上記複数ポイントの画面内の位置と、入射光の画面内の輝度分布とに応じて測距順序を決定する多点測距装置であって、
上記複数ポイントのそれぞれのポイントの優先度を演算する優先度演算手段と、
上記優先度に応じて測距順序を決定する測距順序決定手段と、
を具備し、
上記優先度演算手段は、撮影画面を複数領域に分割し、入射光の画面内の輝度分布に応じた分割領域の輝度を撮影画面のｘ方向に加算してｙ方向の複数の加算輝度を求め、該ｙ方向の複数の加算輝度の差が所定値以上か否かを判定し、所定値以上の場合には、より高輝度の方の加算輝度に対応するポイントへの重み付けを軽くして優先度を下げる演算を行うことを特徴とする多点測距装置。
【請求項２】
上記優先度演算手段は、上記ｙ方向の加算輝度の差が所定値以上ではない場合は、入射光の画面内の輝度分布に応じた分割領域の輝度を撮影画面のｙ方向に加算してｘ方向の複数の加算輝度を求め、該ｘ方向の複数の加算輝度の差が所定値以上か否かを判定し、所定値以上の場合には、より高輝度の方の加算輝度に対応するポイントへの重み付けを軽くして優先度を下げる演算を行うことを特徴とする請求項１に記載の多点測距装置。
【発明の詳細な説明】
【０００１】
【発明の属する技術分野】
本発明は、ファインダ画面内に表示される複数のポイントを選択して絞り込んだ測距ポイントを測距して、高速にピント合わせを行う多点測距装置に関する。
【０００２】
【従来の技術】
従来、カメラに搭載する測距装置においては、撮影画面（ファインダ画面）中央の１点の小領域（測距ポイント）を測距するスポット測距が主であったが、近年、撮影画面内に多数の測距ポイントを配置して、それぞれに対して測距を行い、画面内のどの位置に主要被写体が存在してもピント合わせが可能な多点測距が採用されている。
【０００３】
図２４（ａ）に示すように撮影画面（ファインダ画面）の中央及び左右に３点の測距ポイントを配置した例において、図２５に示すフローチャートを参照して、従来技術による多点測距について説明する。
【０００４】
図２４（ａ）に示すようにファインダ画面内に配置した、Ｃ，Ｌ，Ｒの３つの測距ポイントに対して、それぞれ測距を行う場合、まず、Ｌの測距ポイントに対して、積分制御、相関演算、補間演算を行い（ステップＳ１〜Ｓ３）、距離を求める。続いて同様に、Ｃ点、Ｒ点についても、それぞれ積分制御、相関演算、補間演算を繰り返し行い（ステップＳ４〜Ｓ９）、距離を求める。これらの測距ポイントの演算結果（距離）から主要被写体距離を選択する。
【０００５】
この多点測距を用いた例としては、例えば、特開平１０−１４２４９０号公報に記載される技術がある。この測距技術は、距離差が無く並んだ複数の被写体が存在する撮影画面において、撮影画面（被写界）を複数の測距ポイントに分割し、これらの測距ポイントから求めた距離に基づく距離分布情報を求めて、この距離分布情報におけるピーク値による頻度分布を作成して、領域分割に利用することにより、主要被写体を特定して焦点調節量の算出や露光量の算出を正確に行うものである。
【０００６】
【発明が解決しようとする課題】
前述した所謂、パッシブ方式による多点測距装置においては、１つの測距ポイントの距離を求める毎に、画素データ積分制御、相関演算、補間演算等の複雑な演算処理を行っていた。
【０００７】
このうち、積分制御は、配置された２つのセンサアレイにおいて、被写体５の像信号を受光して、それぞれ検出する場合に、センサアレイを構成する画素の出力電流をコンデンサに蓄えて電圧に変換する時に、後段の処理回路のダイナミックレンジ内に電圧信号を収める技術である。
【０００８】
この方式の場合は、１つの測距ポイントの距離を測定するにも、積分制御、相関演算、補間演算が必要となる。しかも、これらの演算処理は、同時に実行できず、順番に行わなければならない。従って、撮影画面内に多くの測距ポイントを配置させるほど、被写体の判断が適正になり測距精度が高くなるが、一方、測距の演算処理を何度も繰り返さなければならないため、測距にかかる時間が長くなってしまうという問題が発生した。
【０００９】
また、各画素について、図５（ｂ），（ｃ）に示すような像信号が得られた時、２ａ側、２ｂ側の像位置の相対ズレ量ｘを画素のピッチ単位で求めるのが、相関演算である。
【００１０】
これは、２つのセンサアレイの受光素子のデータごとに差をとって、これらを加算した結果を求め、次に、ｂの受光素子のデータを１画素のみずらして、再び同じプロセスで各画素データの差の加算を行い、これをくり返す演算で、２つの像信号が一致した時に相関度が高いとして、ズレ量ｘの概略値が求められるものである。何画素分かずらした時、両データは一致して、加算値はＭＩＮ値となり相関度は最も良くなる。しかし、加算値が”０”にならない場合は、画素のピッチ以下のずれ量があると考えられ、さらに詳細な補間演算が必要となる。
【００１１】
このような複雑な演算処理を図２４に示すように幾度もくり返し行っていると、例えば図２４（ｂ）のように、測距ポイントを３０ポイントも設定した場合には、単純に言えば、図２４（ａ）の３つの測距ポイントに対して、１０倍もの時間がかかってしまうこととなる。
【００１２】
しかし、時間がかかるからといって単に測距ポイントを減少させると、測距しなかった所に主要被写体が存在した場合には、その被写体のピントがぼけてしまう可能性が高くなる。
【００１３】
従って、特開平１０−１４２４９０号公報に記載される技術においても、それぞれの測距ポイントにおける距離の算出を時分割で演算した場合、距離分布を求めること自体に時間がかかってしまう。従って、カメラに搭載した場合には、シャッタを押してから露光するまでに時間がかかることとなり、シャッタチャンスを逃すことになりかねない。
【００１４】
そこで本発明は、撮影画面内の位置や明るさの分布を分析して、測距ポイントの優先度を決め、主要被写体が存在する確率が低い領域における測距を省き、廉価な構成で、正しい主要被写体に高速でピント合わせを行う多点測距装置を提供することを目的とする。
【００１５】
【課題を解決するための手段】
本発明は上記目的を達成するために、撮影画面内の複数ポイントを順次測距するカメラの測距装置において、上記複数ポイントの画面内の位置と、入射光の画面内の輝度分布とに応じて測距順序を決定する多点測距装置であって、上記複数ポイントのそれぞれのポイントの優先度を演算する優先度演算手段と、上記優先度に応じて測距順序を決定する測距順序決定手段と、を具備し、上記優先度演算手段は、撮影画面を複数領域に分割し、入射光の画面内の輝度分布に応じた分割領域の輝度を撮影画面のｘ方向に加算してｙ方向の複数の加算輝度を求め、該ｙ方向の複数の加算輝度の差が所定値以上か否かを判定し、所定値以上の場合には、より高輝度の方の加算輝度に対応するポイントへの重み付けを軽くして優先度を下げる演算を行う多点測距カメラを提供する。
【００１８】
以上のような構成の多点測距装置は、撮影画面の全測距ポイントの受光素子の積分制御を行い、その結果より、画面内の輝度分布と位置に従って測距ポイントの優先度を決定し、優先度の高い距離から、相関演算を行って所定距離範囲内にあるもののみ、補間演算まで行う。優先度の低いポイントは測距演算を行うことなく、測距せずに終了させるため少ない測距ポイントの測距だけで、高速なピント合わせが可能となる。
【００１９】
【発明の実施の形態】
以下、図面を参照して本発明の実施形態について詳細に説明する。
【００２０】
本発明の多点測距装置における測距の概念は、撮影画面の構図判定により、主要被写体が存在するであろう位置の測距ポイントに絞り込み、測距に係わる演算処理を行う。具体的には、まず、全撮影画面の積分制御結果より、画面内の各点の輝度分布と位置に従って測距ポイントの優先度を決定し、優先度の高い測距ポイントの距離から、相関演算を行って所定距離範囲内にあるもののみ、補間演算まで行うことによって、優先度の低い測距ポイントは測距演算することがなく終了させて、高速なピント合わせを可能にすることである。
【００２１】
本発明に用いられるパッシブ方式の測距装置における光パターンの相対位置差算出方法について説明する。図４は、三角測距方式の基本原理と一般的な装置構成を示す図である。
【００２２】
この構成において、受光レンズ３ａ，３ｂの位置の差Ｂ（基線長）により、センサアレイ２ａ，２ｂ上に入射する光分布の相対位置差ｘは、被写体５の距離Ｌに依存して変化する。各受光レンズの焦点距離をｆとすると、被写体距離Ｌは次式で求められる。
【００２３】
Ｌ＝Ｂ・ｆ／ｘ        …（１）
センサアレイの各センサ２ａ，２ｂは、光の入射量に従った電流信号を出力する。これらの電流信号をＡ／Ｄ変換器２３により、ディジタル信号に変換すれば、像ずれ量を算出する演算部２４による相関演算によって、上記相対位置差ｘが検出できる。
【００２４】
この結果をワンチップマイコン等からなる演算制御部（ＣＰＵ）２１に入力して式（１）に基づき、演算することで被写体距離Ｌが求められる。
【００２５】
前述したずれ量演算機能は、一般的には後述するように２つのプロセスから成るが、これらはＣＰＵ２１内に制御プログラムとして内蔵されていてもよい。
【００２６】
このような技術を用いてカメラのピント合わせを行う場合、このＣＰＵ２１がカメラの動作を制御し、撮影用ピント合わせ用レンズ等をモータなどのアクチュエータを介して適宜制御すれば、自動焦点（ＡＦ）機能付きカメラとして提供できる。
【００２７】
また、像のずれ量の演算のためには、両方のラインセンサにおけるセンサピッチの単位でどれだけ像がずれているかを調べる演算ステップ（相関演算）を必要とする。そして、これより細かい分解能でさらに正確にずれ量を算出する演算ステップ（補間演算）を必要とする。
【００２８】
センサアレイ２ａ上に、図４（ａ）に示すような波形１８のパターンで光が入射した場合は、各センサＲ１ 〜Ｒ６ の出力の大きさは、図５（ｂ）に棒グラフで示したような分布特性１９となる。
【００２９】
なお、ここで、”Ｒ”は右側センサを示し、”Ｌ”は、左側センサを示し、これらに付された添え字の１〜６が、例えば受光レンズ光軸基準でのセンサの位置の絶対位置を示しているとすると、左側センサの出力Ｌ１ 〜Ｌ６ から出力Ｒ１〜Ｒ６と同じ信号が出る場合には、上記相対位置差ｘは”０”となるので、求める被写体距離Ｌは「無限遠」になる。
【００３０】
また、被写体が「有限距離」に存在すると、上記ｘとセンサピッチＳＰから決るセンサの数Ｓだけシフトしたところの左側センサＬには、図５（ｃ）に示すような上記出力Ｒ１〜Ｒ６に類似する値の出力信号が得られる。
【００３１】
図５（ａ）のグラフにおける縦軸の値ＦＦ（ｉ）は次式に従って求められる。
【００３２】
ＦＦ（ｉ）＝Σ｜Ｒ（ｉ）−Ｌ（ｉ）｜      …（２）
すなわち、あるＲのセンサの出力から対応するＬのセンサの出力を引き算し、その絶対値を各センサごとに加算した結果ＦＦを用いればよい。すなわち、まずＲi からＬi を引き算してその絶対値をとり、ある幅でｉを変化させこれらを加算する。
【００３３】
次に、Ｒi またはＬi の一方のセンサを１単位だけずらして先に差をとった隣接するセンサと同様に差をとると、次のような式でＦＦ（ｉ＋１）は表現できる。
【００３４】
ＦＦ（ｉ＋１）＝Σ｜Ｒ（ｉ＋１）−Ｌ（ｉ）｜      …（３）
このように順次、ずらし量（以下、ＳＩＦＴ量と称す）を変更しながらＦＦを得られるが、ＲとＬとの差の和であるＦＦが最小値（Ｆmin ）となるＳＩＦＴ量の所が最もよく対応がとれている位置と考えられるため、この場合のＳＩＦＴ量が上記Ｓとして求められる。
【００３５】
以上が相関演算に関するプロセスの概略手順である。
【００３６】
また、上記Ｓを加味して両センサアレイの出力分布を図示すると、図５（ｂ）のように、Ｌ側のＳだけずれた各センサから対応する添え字の付いたＲ側各センサと同様の出力が得られる。
【００３７】
続いて、図５（ｂ）〜（ｄ）を用いて「補間演算」プロセスについて詳しく説明する。
【００３８】
実際の２つのセンサアレイ上の像のずれ量はぴったりとセンサのピッチでずれるわけではなく、また正確な測距にはピッチより細かい精度にて像ずれ量を検出しなければならない。そこで補間演算を行う。図５（ｂ），（ｃ）中のＲとＬは各々図４中のセンサアレイ２ａ，２ｂを構成する一部のセンサ出力を表わしている。
【００３９】
また、図５（ｄ）には、すでに「相関演算」が終了した上記Ｓだけシフトさせた後で比較しやすい状態に直したグラフを示してある。すなわち、Ｌ０〜Ｌ４は正確にはＬＳ＋ＬＳ＋４と記述するべきであるが、記載上繁雑になるのを避けてこのＳは省略して記してある。
【００４０】
ここで、Ｌのセンサには上記Ｓだけシフトした後もＲ基準でまだｘだけずれた光が入射しているとする。このとき例えば、Ｌ1 のセンサにはＲ０とＲ１に入射する光が混じり合って入射し、同様に、各ＬのセンサにもＲ基準でｘだけずれた光が順次に入射するので、各Ｌの出力（Ｌ１〜Ｌ３）は、次式（４）に示したように表現されることがわかる。
【００４１】
【数１】
0004450899.tif 000002
【００４２】
上記Ｆｍｉｎと、Ｆｍｉｎから上記シフト量をプラス方向とマイナス方向にずらしたＦＦの値Ｆ−１とＦ＋１は、この各Ｒｎ，Ｌｎの出力を用いて表現すると、次式（５）のように表される。
【００４３】
【数２】
0004450899.tif 000003
【００４４】
さらに、式（４）を用いて式（５）を展開すると、値Ｆｍｉｎ，Ｆ−１，Ｆ＋１のそれぞれは、次式（６）のように表される。
【００４５】
【数３】
0004450899.tif 000004
【００４６】
また、この式（６）中の｛｜Ｒ０−Ｒ１｜＋｜Ｒ１−Ｒ２｜÷｜Ｒ２−Ｒ３｜｝を（ΣΔＲ）として表現すると、この（ΣΔＲ）に依存せず、先のずれ量ｘが次式（７）に示す演算によって求められる。これが「補間演算」である。
【００４７】
【数４】
0004450899.tif 000005
【００４８】
なお、これらの演算は、図５中の演算部３５にて行われるが演算制御部（ＣＰＵ）１において所定のプログラムに従って実行してもよい。
【００４９】
このように得られた値Ｓとｘに基づいて、ＣＰＵ１がピント合わせレンズの繰り出し量を算出し制御すれば、オートフォーカス（ＡＦ）カメラが提供できる。
【００５０】
但し、多点測距の測距ポイントのうち、どの測距ポイントを選択して、前述した演算を行って測距するかは、非常に大きな問題となる。
【００５１】
例えば、図６（ａ）に示したような撮影画面の構図では、画面内の☆印のポイント（人物）に対して、正しい測距及びピント合わせを行う必要があるが、この場合は、カメラは☆印の位置の像を適切にとらえて相関演算、補間演算を行わなければならない。
【００５２】
しかし、撮影者がカメラを構え直して、構図を図６（ｂ）に示すように変えると、元々人物を被写体とした画面内☆印の位置は、画面の上方にあった太陽の近くに向いてしまうので、太陽の明るさにカメラが反応してしまい、主要被写体であったはずの人物像が正しく写らない確率が高くなる。このように、像信号の検出制御を正しく行わないと、いくら画面内の多くの測距ポイントを測距可能としても、主要被写体に正しくピントを合わせた写真を得ることは困難である。
【００５３】
図１は、本発明の測距装置に係る第１の実施形態としての構成例を概略的に示す図である。
【００５４】
この測距装置は、三角測距方式を基本原理とするものである。まず、受光レンズ３ａ，３ｂを介して、ラインセンサからなるセンサアレイ２ａ，２ｂ上に被写体５の像がそれぞれ入射する。各センサアレイ２ａ，２ｂの受光素子から出力された、光の入射量に従ったそれぞれの電流信号は、Ａ／Ｄ変換部８によりディジタル信号に変換した後、演算制御部（ＣＰＵ）１内の相関演算部４へ入力され、相関演算部４で像ずれ量が算出される。この像ずれ量に基づき、相対位置差が検出される。この結果からＣＰＵ１で被写体距離Ｌが求められる。
【００５５】
この被写体距離Ｌに基づき、ピント合わせ部９により撮影レンズ（図示せず）のピント合わせが行なわれる。
【００５６】
また、ＣＰＵ１内には、後述する測距ポイントの優先度を決定するために、全画面の積分により輝度分布を得るための積分制御部６と、画面内の各測距ポイントを選択するための選択部７とを備えている。
【００５７】
図２は、図１に示した測距装置に用いるセンサアレイ（ラインセンサ）の一部分を含む積分制御を行うための構成を示している。
【００５８】
この構成においては、センサアレイ２ａ，２ｂを形成する受光素子１０（Ｓ１〜Ｓ４）と、受光素子Ｓ１〜Ｓ４にバイアス電源を印加するためのにバイアス回路１１と、受光素子Ｓ１〜Ｓ４の出力側に接続し、積分制御部４の制御により開閉する積分スイッチ群１２と、受光素子Ｓ１〜Ｓ４が出力した信号の積分量に応じた電圧信号を出力する電流積分アンプ１３（Ａ１〜Ａ４）と、これらの電圧信号から最大値を検出するための最大値検出部１４と、ＣＰＵ１の制御により電流積分アンプ１３からの電圧信号を選択して最大値検出部１４に入力させるための最大値検出用スイッチ群１５と、電流積分アンプ１３からの電圧信号及び最大値検出部１４からの最大値出力信号を切り換えて選択し、Ａ／Ｄ変換部８に入力させる選択スイッチ１６とを備えている。
【００５９】
上記受光素子Ｓ１〜Ｓ４は、バイアス回路１１を電源に用いて受光量に応じた信号電流を出力する。この信号電流は、積分スイッチ群１２ａ（積分開始／終了）のＯＮ時は、積分アンプＡ１〜Ａ４に導かれ、リセットスイッチ群１２ｂがＯＦＦ時は、各アンプの出力に積分量に応じた電圧信号が出力される。
【００６０】
この結果をＡ／Ｄ変換部８によって読みとれば、図４で説明した相関演算処理を経てピント合わせができる。しかし、この各センサＳ１〜Ｓ４に入る光の量は、撮影場面の明るさや被写体の色や反射率によって種々の値にバラつくので、限られたダイナミックレンジの積分手段で適正な値に積分量を収めるためには、正確な積分制御技術が必要になる。
【００６１】
つまり、積分時間が短か過ぎる場合、積分結果が平坦になってしまって差が得られないが、逆に長すぎても回路の飽和によって積分結果が均一になってしまう。前述した相関演算処理からも明らかなように、像に変化がとぼしいと、２つのセンサアレイで得られた２つの像の相関がとりにくく、結果として正しい測距ができなくなってしまう。
【００６２】
そこで、積分結果をリアルタイムでモニタして適正なレベルになった所で積分を終了させる技術が用いられる。最大値検出用スイッチ群１５のどのスイッチをＯＮするかによって、どのセンサの出力がモニタされるかが決まる。
【００６３】
これらのスイッチをＯＮさせて、積分制御を行うタイミングチャートを図３（ａ）に示す。
【００６４】
受光素子Ｓ１〜Ｓ４に入光している時、最初にリセットスイッチ群１２ｂをＯＮしておき、出力を基準レベルに設定したあと、積分スイッチ群１２ａをＯＮ、リセットスイッチをＯＦＦすると、Ｔ１のタイミングで積分が開始される。
【００６５】
選択スイッチ１６が最大値検出回路１４を選択している時、最大値検出回路１４の積分出力は、最も積分量の大きい出力を選んで、Ａ／Ｄ変換部８に入力されるため、ＣＰＵ１は、図３（ａ）に示すようにＡ／Ｄ変換部８を制御して出力させて、逐次モニタする。この最大値が回路のダイナミックレンジを越えない時点Ｔ２で積分スイッチ群１２ａをＯＦＦすれば、各センサの積分出力がダイナミックレンジを越えることはない。
【００６６】
そして積分停止後、受光素子Ｓ１，Ｓ２，Ｓ３，Ｓ４の積分出力を、Ａ／Ｄ変換するために、選択スイッチ１６を切換制御すれば、ＣＰＵ１は各センサ出力を順次モニタすることができる。
【００６７】
図３（ｂ）は、このようにして得られた像信号を示し、光の入射状態に従って暗い所は低い出力、明るい所は高い出力となる。このような技術によって、カメラの測距装置は、適正な像信号を得ることができる。
【００６８】
また、ＣＰＵ１の制御により最大値検出用スイッチ群１５を開閉させて、所定のセンサのみを最大値検出回路１４と接続することができるが、もし、この４つのセンサの例でも、図６（ｂ）に示したように受光素子Ｓ１に、太陽の光が入っているとすると、この受光面Ｓ１に接続しなければ、太陽の強い光によって積分制御がなされてしまうことはない。
【００６９】
逆に、積分モニタ時に太陽の直接光が影響すると、通常被写体の像信号が得られる前に積分制御が終了してしまい、正確な測距はできなくなってしまうケースが多い。また最大値検出回路１４は、出力が最大値でなく、最大値と最小値の差や、平均値を検出する回路構成であっても、同様の事が起こりうる。
【００７０】
図１（ａ）に示した構成で、受光レンズ３ａからの点線で示した光線を利用すると、画面中心のＣポイント以外のポイント、つまり基線長方向にずれたポイントＬ，Ｒの測距も可能となる。
【００７１】
また、図７（ａ）は、前述したセンサアレイ（ラインセンサ）の基線長方向に対して垂直の方向にそれぞれ上下１本づつラインセンサ２ｃ，２ｄ，２ｅ，２ｆを追加した３本のラインセンサによる測距装置の概念的な構成を示す。
【００７２】
この構成により、図７（ａ）に光路として示したように、基線長方向とは垂直な方向Ｕの部分とＤの部分が測距可能となり、図７（ｂ）へ模式的に示したように、撮影画面内の多くのポイントを測距できるようになる。
【００７３】
この考え方を拡張すれば、図８に示すように、ラインセンサを増設するのではなく、受光素子が隙間なく並べられた、所謂エリアセンサを用いることによって、画面内を隙間なくモニタでき、例えば、図２４（ｂ）のように、測距ポイント数を３０ポイントや、それ以上に増加させることが可能になる。このような工夫によって、画面内のどの位置に主要被写体が存在しても、正確な測距ができる測距装置が提供できる。
【００７４】
例えば、従来の画面中央しか測距できなかった図１４（ａ）や図１５（ａ）のような構図で、画面の端の方に人物がいる場合も、正確なピント合わせのできるカメラを提供可能となる。
【００７５】
しかし前述したように測距域が広くなる程、測距の時に被写体以外のものを無駄に測距することが多くなり、副作用として誤測距に到る確率も増加する。
【００７６】
これらの問題を解決した本実施形態について説明する。
【００７７】
例えば、図６（ａ），（ｂ）のような撮影画面では、最初から人物５が存在する位置を測距して、その距離でピント合わせをしてしまえば、撮影者がその場を移動しない限り、カメラを動かして構図内で主要被写体の位置を多少移動した場合でも、他の測距ポイントを測距して誤測距によるピンボケや、タイムラグ発生の問題を起こすことはない。
【００７８】
また、一般的に撮影画面の構図は、中央に主要被写体が位置し、その上方には空や太陽など、主要被写体より高輝度のものが存在する場合が多いので、こうした情報をもとに、主要被写体判定の一助とする。但し、撮影者がカメラを構え直して、構図を横や縦にしたりする事態を考えて、カメラの向きを検出する必要がある。
【００７９】
このカメラの向き即ち、縦向き、横向き若しくは上向きに対する縦横検知機構は、図９（ａ），（ｂ），（ｃ）に示すように、カメラ２５内に水銀等の流体の導電物質２６を収めたケース２７を内蔵させ、このケース２７内に複数の主極２８ａａ，２８ｂ，２８ｃ，２８ｄ，２８ｅを差し込んで配置して構成される。どの主極どおしが導電体物質２６でショートされるかをＣＰＵ１が判定することによってカメラの向きの検知が可能となる。例えば、主極２８ｂと２８ｃがショートすればカメラは横向き、主極２８ａと２８ｂならばカメラは縦向き、主極２８ｂと２８ｄならばカメラは上向きと判定できる。
【００８０】
次に図１０に示すフローチャートを参照して、第１の実施形態の測距装置における測距のメインルーチンについて説明する。
【００８１】
まず、図１及び図８における構成により、撮影画面内に配置されたＮ個の測距ポイント全部のセンサで受光して、前述した処理により全画面（測距ポイント）における積分結果を得る（ステップＳ１）。
【００８２】
次に、後述するように得られた画面内の各測距ポイントの輝度分布とその位置に従って測距ポイントの優先度を決定する（ステップＳ２）。この位置の優先度においては、例えば、図６（ａ）に示す構図であれば、人物を主要被写体として、その人物の位置を一番高い優先度とし、太陽の位置は最も低い優先度とする。そして、判定回数Ｍの初期値を１に設定する（ステップＳ３）。ここでは、判定回数を４回とする。
【００８３】
次に、上記ステップＳ２において決定した優先度の高い測距ポイントの積分電圧信号から、選択スイッチ１６を切り換えてＡ／Ｄ変換部８に取り込み、デジタル信号化された積分信号をＣＰＵ１により、相関演算処理を行う（ステップＳ４）。その後、相関演算により得られた被写体距離が予め設定した所定距離より近いか否かを判定する（ステップＳ５）。この判定で、被写体距離が予め設定した所定距離以上で遠い場合には（ＮＯ）、判定回数の４回に達したか否かを判別する（ステップＳ６）。ここで判定回数の４回に達していなければ（ＮＯ）、インクリメントして（ステップＳ７）、上記ステップＳ４に戻る。
【００８４】
一方、上記ステップＳ５の判定で、被写体距離が予め設定した所定距離以下で近かった場合には（ＹＥＳ）、この被写体距離を得た測距ポイントの相関演算結果に対して補間演算を行い（ステップＳ８）、リターンする。また、上記ステップＳ６の判定において、予め設定した判定回数Ｍが４回に達していた場合（ＮＯ）、被写体は中央に存在するものと仮定して（ステップＳ９）、上記ステップＳ８に移行して、画面中央の測距ポイントから得られた相関演算結果に対して補間演算おこない、リターンする。
【００８５】
本実施形態によれば、撮影画面の全測距ポイントの受光素子による積分制御を行い、輝度分布及び位置から演算処理の優先度を決定し、その優先度の積分信号から相関演算を行い、且つ被写体距離が所定距離範囲内にあるもののみ、補間演算まで行うことによって、優先度の低いポイントは測距されることがないうちに終了するので、高速なピント合わせを可能にする。
【００８６】
次に図１１及び図１２に示すフローチャートを参照して、図１０の上記ステップＳ２における優先度決定について詳細に説明する。また、図１３（ａ）には、図１１，図１２を説明するにあたって、撮影画面を例えば９分割した測距領域（以下、測距ポイントとする）▲１▼〜▲９▼に分割した例を示し、図１３（ｂ），（ｃ）には、撮影画面の例を示している。以下の説明において、これらの測距ポイントを横方向に分割した、▲１▼，▲２▼，▲３▼をＡブロック、▲４▼，▲５▼，▲６▼をＢブロック及び、▲７▼，▲８▼，▲９▼をＣブロックとし、縦方向に分割した、▲１▼，▲４▼，▲７▼をＤブロック、▲２▼，▲５▼，▲８▼をＥブロック及び、▲３▼，▲６▼，▲９▼をＦブロックとする。尚、本実施形態では、一例として、図１３（ａ）に示すように測距ポイントを９分割としたが、勿論これに限定されるものではなく、もっと分割を細かくしてもよい。
【００８７】
まず、図９で示すカメラの縦横検知機構を用いて、撮影画面の上方がどの位置かを検出し（ステップＳ１１）、何れのブロックが上方であるかを判定する（ステップＳ１２）。
【００８８】
この判定結果は、Ａブロック、Ｄブロック、Ｆブロックの何れが上方になるかを判定するものであり、本実施形態では、［１］撮影画面上方は「空」（主要被写体が存在しない領域）であり、［２］主要被写体は一番上方の測距ポイントより下方に存在する。さらに［３］撮影画面の中央は、主要被写体の存在確率が高い。という考え方でシーケンスを構成している。ここでは、通常にカメラを構えた横長構図（Ａブロックが上方）を例として説明する。
【００８９】
このような構図では、Ａブロックは、「空」である確率が高いので、このＡブロックの平均輝度ＢＶｕを求め、これを「空」である部分の判定基準とする（ステップＳ１３）。これは、図１２（ｂ）に示す構図では、Ａブロック（▲１▼，▲２▼，▲３▼）の他、測距ポイント▲５▼，▲６▼の部分も「空」であると判断する時に、この明るさ情報が用いられる。
【００９０】
但し、一番上方のブロックが「空」であって、全く測距の必要がないか否かはこれだけではわからないので、予め設定した所定の輝度ＢＶｓと、一番上のブロックの平均輝度ＢＶｕを比較し（ステップＳ１４）、所定の明るさ以上ならば（ＹＥＳ）、「空」である確率が高いので、優先度係数Ｐ（Ｐ１，Ｐ２，Ｐ３）を１×１とする（ステップＳ１５）。
【００９１】
ここで、”１×１”の前方の”１”は、図１３（ａ）の測距ポイント▲１▼〜▲９▼の位置に関する重み付けの値であり、撮影画面の四隅の測距ポイント▲１▼，▲３▼，▲７▼，▲９▼と上方中央の測距ポイント▲２▼は、主要被写体の存在確率が低いものとして”１”と設定し、これらの領域を除く四辺部中央の測距ポイント▲４▼，▲６▼，▲８▼は位置の重み付け（以下、位置重み付けと称する）を”２”に設定し、さらに撮影画面中央の測距ポイント▲５▼は、存在確率が極めて高いため”３”と設定する。
【００９２】
また、”１×１”の後方の数字”１”は、輝度やその変化による重み付け（以下、輝度重み付けと称する）であり、例えば、「空」である時、測距の必要が低いものとして”１”、これ以外ならば、”２，３，６”と、を増すようにしている。
【００９３】
本実施形態において、「空」は、主要被写体の存在確率の低い領域であり、優先度係数を、（位置重み付け）×（輝度重み付け）として、１×１＝１と定義している。
【００９４】
また上記ステップＳ１４において、平均輝度ＢＶｕが所定の輝度ＢＶｓ以下であれば（ＮＯ）、優先度係数を”１×２”とする。例えば、図１３（ｃ）の撮影画面のように、空の一部に「山」があるような構図の優先度係数である。但し、前方の”１”は、位置依存であるため変化しない。
【００９５】
このように、Ａブロックの優先度係数を決めた後で、下方の測距ポイントの判定に移行するが、まず、Ｂブロック（▲４▼，▲５▼，▲６▼）の列内での輝度比較を行い、その変化の有無を判定する（ステップＳ１７）。例えば、図１３（ｂ）に示したような構図では変化があり、図１３（ｃ）に示したような構図では変化がない。
【００９６】
この判定で変化があれば（ＹＥＳ）、Ｂブロックの測距ポイント▲４▼の輝度と、先に求めたＡブロック（画面上方）の輝度ＢＶｕと比較し（ステップＳ１８）、同様な輝度であれば（ＹＥＳ）、その測距ポイント▲４▼は、「空」であると考えて、この輝度重み付けを”２”［優先度係数Ｐ４：２×２］に設定する（ステップＳ１９）。しかし、輝度が異なるならば（ＮＯ）、輝度重み付けを”６”［優先度係数Ｐ４：２×６］に設定する（ステップＳ２０）。
【００９７】
続いて同様に、Ｂブロックの測距ポイント▲５▼の輝度と、輝度ＢＶｕと比較し（ステップＳ２１）、同様な輝度であれば（ＹＥＳ）、その測距ポイント▲５▼の輝度重み付けを”２”［優先度係数Ｐ５：３×２］に設定し（ステップＳ２２）、輝度が異なるならば（ＮＯ）、輝度重み付けを”６”［優先度係数Ｐ５：３×６］に設定する（ステップＳ２３）。さらに、測距ポイント▲６▼においても同様に、輝度ＢＶｕと比較し（ステップＳ２４）、同様な輝度であれば（ＹＥＳ）、その測距ポイント▲６▼の輝度重み付けを”２”［優先度係数Ｐ６：２×２］に設定し（ステップＳ２５）、輝度が異なるならば（ＮＯ）、輝度重み付けを”６”［優先度係数Ｐ６：２×６］に設定する（ステップＳ２６）。
【００９８】
次に、測距ポイント▲７▼，▲９▼の位置重み付けを”１”とし、輝度重み付けを”３”［優先度係数Ｐ７，Ｐ９：１×３］に設定し（ステップＳ２７）、測距ポイント▲８▼の位置重み付けを”２”とし、輝度重み付けを”３”［優先度係数Ｐ８：２×３］に設定する（ステップＳ２８）。
【００９９】
一方、上記ステップＳ１７において、Ｂブロック（▲４▼，▲５▼，▲６▼）内の輝度比較で変化が無かった場合（ＮＯ）、ちなみに変化が無い構図は、図１３（ｃ）が該当し、測距ポイント▲４▼，▲５▼，▲６▼とも同じような輝度分布となる。変化がなかった場合は、測距ポイント▲５▼の位置重み付けを”３”とし、輝度重み付けを”２”［優先度係数Ｐ５：３×２］に設定し（ステップＳ２９）、測距ポイント▲４▼，▲６▼の位置重み付けを”２”とし、輝度重み付けを”２”［優先度係数Ｐ４，Ｐ６：２×２］に設定する（ステップＳ３０）。
【０１００】
さらに、Ｂブロックより下方のＣブロック（▲７▼，▲８▼，▲９▼）は、主要被写体が存在する確率が高いと想定して測距ポイント▲７▼，▲８▼，▲９▼の輝度重み付けは、”６”に設定する。よって、測距ポイント▲７▼，▲９▼の位置重み付けを”１”とし、輝度重み付けを”６”［優先度係数Ｐ７，Ｐ９：１×６］に設定し（ステップＳ３１）、測距ポイント▲８▼の位置重み付けを”２”とし、輝度重み付けを”６”［優先度係数Ｐ８：２×６］に設定する（ステップＳ３２）。
【０１０１】
以上の様に設定された優先度係数の重み付けの大きい測距ポイントから測距に関する処理が行われるように優先順位が決定される（ステップＳ３３）。
【０１０２】
この優先順位の決定について説明する。
【０１０３】
これらの重み付けの設定により、測距ポイント▲７▼，▲９▼の優先度係数は、”６”となり、測距ポイント▲８▼の優先度係数は、”１２”の重み付けとなる。
【０１０４】
この場合、測距ポイント▲８▼の優先度係数が”１２”、測距ポイント▲５▼，▲７▼，▲９▼の優先度係数が”６”となり、これらが優先度の高い測距ポイントとなる。
【０１０５】
例えば、図１３（ｂ）示すような構図では、測距ポイント▲４▼，▲５▼，▲６▼の優先度係数が、各々１２，６，４となり、最下段の測距ポイント▲７▼，▲８▼，▲９▼は、位置の重み付けに対し、これまでの輝度判定の残りの予測から、”３”の重み付けを乗じて、測距ポイント▲７▼，▲９▼の優先度係数は”３”、測距ポイント▲８▼の優先度係数は”６”となる。従って、優先度の高いのは、測距ポイント▲４▼，▲５▼，▲８▼の順となる。
【０１０６】
そして、前述したように、測距ポイント▲１▼〜▲９▼の優先度係数Ｐ１〜Ｐ９の重み付け結果より、図１３（ｂ）の構図では、▲４▼，▲５▼，▲８▼…、図１３（ｃ）の構図では、▲８▼，▲５▼，▲７▼，▲９▼…の順で、優先順位付けが行われる。
【０１０７】
また、上記ステップＳ１２の判定において、Ｄブロック（▲１▼，▲４▼，▲７▼）が最上段であった場合には、カメラを立てて構えた縦長構図となり、最上段がＤブロック（▲１▼，▲４▼，▲７▼）、中段がＥブロック（▲２▼，▲５▼，▲８▼）、最下段がＦブロック（▲３▼，▲６▼，▲９▼）の構図となる。
【０１０８】
従って、前述した横長構図のＡ，Ｂ，Ｃブロックにおける優先度係数の設定をＡブロックをＤブロックに、ＢブロックをＥブロックに、ＣブロックをＦブロックに置き換えるとステップＳ１４〜ステップＳ３２までとステップＳ３５〜ステップＳ５３までが測距ポイントを変えたのみで、同等のシーケンスとなる。
【０１０９】
このような縦長構図では、Ｄブロックは、「空」である確率が高いので、平均輝度ＢＶｕを求め、判定基準とする（ステップＳ３４）。上記ステップＳ１４と同様に、この平均輝度ＢＶｕと所定輝度ＢＶｓとを比較し（ステップＳ３５）、所定の明るさ以上ならば（ＹＥＳ）、「空」である確率が高いので、優先度係数Ｐ（Ｐ１，Ｐ４，Ｐ７）を１×１とする（ステップＳ３６）。尚、この構図における位置重み付けは、測距ポイント▲１▼，▲３▼，▲７▼，▲９▼，▲４▼を”１”に設定し、測距ポイント▲２▼，▲６▼，▲８▼を”２”に設定し、さらに撮影画面中央の測距ポイント▲５▼は、存在確率が極めて高いため、”３”と設定する。
【０１１０】
上記ステップＳ３５において、平均輝度ＢＶｕが所定の輝度ＢＶｓ以下であれば（ＮＯ）、測距ポイント▲１▼，▲４▼，▲７▼は優先度係数を”１×２”とする（ステップＳ３７）。
【０１１１】
次に、Ｅブロック（▲２▼，▲５▼，▲８▼）内で輝度比較して、その変化の有無を判定する（ステップＳ３８）。この判定で変化があれば（ＹＥＳ）、Ｅブロックの測距ポイント▲２▼の輝度と、平均輝度ＢＶｕと比較する（ステップＳ３９）。この判定で同様な輝度であれば（ＹＥＳ）、その測距ポイント▲２▼の輝度重み付けは”２”［優先度係数Ｐ２：２×２］に設定する（ステップＳ４０）。しかし、輝度が異なるならば（ＮＯ）、輝度重み付けを”６”［優先度係数Ｐ２：２×６］に設定する（ステップＳ４１）。
【０１１２】
続いて同様に、測距ポイント▲５▼の輝度と、輝度ＢＶｕと比較し（ステップＳ４２）、同様な輝度であれば（ＹＥＳ）、その測距ポイント▲５▼の輝度重み付けを”２”［優先度係数Ｐ５：３×２］に設定し（ステップＳ４３）、輝度が異なるならば（ＮＯ）、輝度重み付けを”６”［優先度係数Ｐ５：３×６］に設定する（ステップＳ４４）。さらに、測距ポイント▲８▼も同様に、輝度ＢＶｕと比較し（ステップＳ４５）、同様な輝度であれば（ＹＥＳ）、その測距ポイント▲８▼の輝度重み付けを”２”［優先度係数Ｐ８：２×２］に設定し（ステップＳ４６）、輝度が異なるならば（ＮＯ）、輝度重み付けを”６”［優先度係数Ｐ８：２×６］に設定する（ステップＳ４７）。
【０１１３】
次に、測距ポイント▲３▼，▲９▼の位置重み付けを”１”とし、輝度重み付けを”３”［優先度係数Ｐ３，Ｐ９：１×３］に設定し（ステップＳ４８）、測距ポイント▲６▼の位置重み付けを”２”とし、輝度重み付けを”３”［優先度係数Ｐ６：２×３］に設定する（ステップＳ４９）。
【０１１４】
一方、上記ステップＳ３８において、Ｅブロック（▲２▼，▲５▼，▲８▼）内の輝度比較で変化が無かった場合（ＮＯ）、測距ポイント▲５▼の位置重み付けを”３”とし、輝度重み付けを”２”［優先度係数Ｐ５：３×２］に設定し（ステップＳ５０）、測距ポイン▲２▼，▲８▼の位置重み付けを”２”とし、輝度重み付けを”２”［優先度係数Ｐ２，Ｐ８：２×２］に設定する（ステップＳ５１）。
【０１１５】
さらに、Ｅブロックより下方のＦブロック（▲３▼，▲６▼，▲９▼）は、主要被写体が存在する確率が高いと想定して測距ポイント▲３▼，▲６▼，▲９▼の輝度重み付けは、”６”に設定する。よって、測距ポイント▲３▼，▲９▼の位置重み付けを”１”とし、輝度重み付けを”６”［優先度係数Ｐ３，Ｐ９：１×６］に設定し（ステップＳ５２）、測距ポイント▲６▼の位置重み付けを”２”とし、輝度重み付けを”６”［優先度係数Ｐ６：２×６］に設定する（ステップＳ５３）。この後、上記ステップＳ３３に移行して、優先順位が決定される。
【０１１６】
また、上記ステップＳ１２の判定において、Ｆブロック（▲３▼，▲６▼，▲９▼）が最上段であった場合には、カメラを立てて構えた縦長構図となり、最上段がＦブロック（▲３▼，▲６▼，▲９▼）、中段がＥブロック（▲２▼，▲５▼，▲８▼）、最下段がＥブロック（▲１▼，▲４▼，▲７▼）の縦長構図となり、前述したステップ３４〜ステップＳ５３の構図とは上下を逆にカメラを構えた構図となる。
【０１１７】
従って、前述した縦長構図のＤ，Ｅ，Ｆブロックにおける優先度係数の設定をＤブロックをＦブロックに、ＥブロックをＥブロックに、ＦブロックをＤブロックに置き換えるとステップＳ３５〜ステップＳ５３までとステップＳ５４〜ステップＳ７３までとの測距ポイントを変えたのみで、同等のシーケンスとなる。
【０１１８】
このような縦長構図では、Ｆブロックは、「空」である確率が高いので平均輝度ＢＶｕを求め、判定基準とする（ステップＳ５４）。この平均輝度ＢＶｕと所定輝度ＢＶｓとを比較し（ステップＳ５５）、所定の明るさ以上ならば（ＹＥＳ）、測距ポイント▲３▼，▲６▼，▲９▼の優先度係数Ｐ（Ｐ３，Ｐ６，Ｐ９）を１×１とする（ステップＳ５６）。
【０１１９】
尚、この構図における位置重み付けは、測距ポイント▲１▼，▲３▼，▲７▼，▲９▼，▲６▼を”１”、測距ポイント▲２▼，▲４▼，▲８▼を”２”、及び測距ポイント▲５▼を”３”と設定する。
【０１２０】
上記ステップＳ５５において、平均輝度ＢＶｕが所定の輝度ＢＶｓ以下であれば（ＮＯ）、測距ポイント▲３▼，▲６▼，▲９▼は優先度係数を”１×２”とする（ステップＳ５７）。
【０１２１】
次に、Ｅブロック（▲２▼，▲５▼，▲８▼）における輝度重み付け（ステップＳ５８〜ステップＳ６７）は、前述したステップＳ２８〜Ｓ４７までの同一のシーケンスであり、Ｅブロックの測距ポイント▲２▼，▲５▼，▲８▼の輝度と、平均輝度ＢＶｕと比較により決定する。この比較で、測距ポイント▲２▼は、同じ輝度であれば［優先度係数Ｐ２：２×２］、異なれば［優先度係数Ｐ２：２×６］に設定される（ステップＳ５９〜Ｓ６１）。
【０１２２】
続いて同様に、測距ポイント▲５▼は、同じ輝度であれば［優先度係数Ｐ５：３×２］、異なれば［優先度係数Ｐ５：３×６］に設定する（ステップＳ６２〜Ｓ６４）。さらに、測距ポイント▲８▼は、同じ輝度であれば［優先度係数Ｐ８：２×２］、異なれば［優先度係数Ｐ８：２×６］に設定する（ステップＳ６５〜Ｓ６７）。
【０１２３】
次に、測距ポイント▲１▼，▲７▼を［優先度係数Ｐ３，Ｐ９：１×３］に設定し（ステップＳ６８）、測距ポイント▲４▼を［優先度係数Ｐ６：２×３］に設定する（ステップＳ６９）。
【０１２４】
一方、上記ステップＳ５８において、Ｅブロック（▲２▼，▲５▼，▲８▼）内の輝度比較で変化が無かった場合（ＮＯ）、測距ポイント▲５▼を［優先度係数Ｐ５：３×２］に設定し（ステップＳ７０）、測距ポイン▲２▼，▲８▼を［優先度係数Ｐ２，Ｐ８：２×２］に設定する（ステップＳ７１）。
【０１２５】
さらに、Ｅブロックより下方のＤブロック（▲１▼，▲４▼，▲７▼）は、主要被写体が存在する確率が高いと想定して測距ポイント▲１▼，▲７▼を［優先度係数Ｐ１，Ｐ７：１×６］に設定し（ステップＳ７２）、測距ポイント▲４▼を［優先度係数Ｐ６：２×６］に設定する（ステップＳ７３）。この後、上記ステップＳ３３に移行して、優先順位が決定される。
【０１２６】
以上説明したように、主要被写体の存在する確率を考慮した撮影画面内の位置、及び輝度の分布の解析によって、測距を行うべき測距ポイントの絞り込みが可能となる。
【０１２７】
次に第２の実施形態について説明する。
【０１２８】
前述した第１の実施形態のように、縦横の構図判定の技術を用いたものだけでなく、図１４、図１５に示すように、エリアセンサの出力から最適な測距ポイントを選ぶようにしてもよい。
【０１２９】
図１４（ａ）に示す撮影画面の構図では、上半分に「空」であるので、下半分のどこかに主要被写体が存在する確率が高い。これをカメラ側で自動的に判定するには、図１４（ｂ）に示すような、マトリクス状に配置されたエリアセンサの受光素子の位置をｘ，ｙの座標で考え、ｘ方向に沿って、同じｙ値をとる受光素子の出力値を加算してグラフ表示した場合の加算輝度分布と、図１４（ｃ）に示すような、ｙ方向に沿って同じｘ値をとる受光素子の出力値を加算して、グラフ表示した場合の加算輝度分布を比べればよい。
【０１３０】
図１４（ｂ）では、空と大地が分離されるため、ΔＢＶで示した大きな輝度変化がみられるが、図１４（ｃ）では、空と大地がとけ合って、単調な輝度変化となる。この大きな輝度変化があった部分を、ｙＢ  として検出する。
【０１３１】
また、図１５（ａ）に示す縦構図では、逆に、ｙ方向に加算した加算輝度分布に大きなΔＢＶの変化が見られ、図１５（ｂ）に示すようにｘ方向の加算輝度分布に大きな変化ｘＢ  がみられるが、図１５（ｃ）に示すようにｙ方向の加算輝度分布には、単調な変化しか見られない。
【０１３２】
これらの特性を用いて、図１７、図１８に示すようなフローチャートによるシーケンスで測距ポイントの優先度を選択すれば、図１６（ａ），（ｂ）のように空部を除いた残りの部分に、優先測距エリアを設けることができる。また、ｘＢ，ｙＢ  が検出不能であった場合は、主要被写体が存在する確率の高い、図１６（ｃ）に示すような、画像中央部を優先エリアとすればよい。
【０１３３】
尚、本実施形態においては、説明を理解しやすくするために、図１３（ａ）に示したような撮影画面を９分割にした例で説明するが、勿論これらに限定されるものではなく、さらに分割数の多くすることは容易である。
【０１３４】
まず、全画面における測距スポットの像信号を得るための積分制御を行う（ステップＳ８１）。
【０１３５】
この積分結果により、まず、Ａブロック（▲１▼，▲２▼，▲３▼）の測距スポットの輝度を加算した加算結果ＢＶ１を算出し（ステップＳ８２）、続いてＢブロック（▲４▼，▲５▼，▲６▼）、Ｃブロック（▲７▼，▲８▼，▲９▼）の測距スポットの輝度を加算した加算結果ＢＶ２，ＢＶ３を算出する（ステップＳ８３，Ｓ８４）。
【０１３６】
次に、加算結果ＢＶ１とＢＶ２との差（ＢＶ１−ＢＶ２）が所定の輝度差ΔＢＶ０よりも大きいか否かを判定する（ステップＳ８５）。この比較は、加算結果の差分が、所定の輝度差ＢＶ０を越えて大きく変化した所は、空との境界を越えたと考えられるので、それより上方の測距ポイントの優先度を下げ、下方の測距ポイントの優先度を上げるための判定である。
【０１３７】
この判定で、加算結果の差分（ＢＶ１−ＢＶ２）が輝度差ＢＶ０を越えた場合（ＹＥＳ）、Ａブロックのみが「空」であると考えられ、測距スポット▲１▼，▲２▼，▲３▼の輝度重み付けが”１”に設定され、Ｂブロックの測距スポット▲４▼，▲５▼，▲６▼の輝度重み付けが”６”に設定され、Ｃブロックの測距スポット▲７▼，▲８▼，▲９▼の輝度重み付けが”３”に設定される。また、位置重み付けに関しては、第１の実施形態と同様に、撮影画面の四隅の測距ポイント▲１▼，▲３▼，▲７▼，▲９▼と上方中央の測距ポイント▲２▼を”１”と設定し、これらの領域を除く四辺部中央の測距ポイント▲４▼，▲６▼，▲８▼を”２”に設定し、さらに撮影画面中央の測距ポイント▲５▼を”３”に設定する。
【０１３８】
これにより、測距ポイント▲１▼，▲３▼を［優先度係数Ｐ１，Ｐ３：１×１］に設定し（ステップＳ８６）、測距ポイント▲２▼を［優先度係数Ｐ２：２×１］に設定し（ステップＳ８７）、測距ポイント▲４▼，▲６▼を［優先度係数Ｐ４，Ｐ６：２×６］に設定し（ステップＳ８８）、測距ポイント▲５▼を［優先度係数Ｐ５：３×６］に設定し（ステップＳ８９）、測距ポイント▲７▼，▲９▼を［優先度係数Ｐ７，Ｐ９：１×３］に設定し（ステップＳ９０）、測距ポイント▲８▼を［優先度係数Ｐ８：２×３］に設定する（ステップＳ９１）。次に後述するステップＳ９８に移行する。
【０１３９】
一方、上記ステップＳ８５の判定において、加算結果の差分（ＢＶ１−ＢＶ２）が輝度差ＢＶ０を越えなかった場合には（ＮＯ）、続いて、加算結果ＢＶ１とＢＶ３との差（ＢＶ１−ＢＶ３）が所定の輝度差ΔＢＶ０よりも大きいか否かを判定する（ステップＳ９２）。
【０１４０】
この判定で、加算結果の差分（ＢＶ１−ＢＶ３）が輝度差ΔＢＶ０より大きければ（ＹＥＳ）、Ｂブロックも「空」であるため、Ａブロックは最も軽い輝度重み付けとなる。
【０１４１】
従って、測距スポット▲１▼，▲２▼，▲３▼の輝度重み付けが”１”に設定され、Ｂブロックの測距スポット▲４▼，▲５▼，▲６▼の輝度重み付けが”２”に設定され、Ｃブロックの測距スポット▲７▼，▲８▼，▲９▼の輝度重み付けが”６”に設定される。また、位置重み付けに関しては、ステップＳ８６〜ステップＳ９１の場合と同じである。
【０１４２】
これにより、測距ポイント▲１▼，▲２▼，▲３▼を［優先度係数Ｐ１，Ｐ２，Ｐ３：１×１］に設定し（ステップＳ９３）、測距ポイント▲４▼，▲６▼を［優先度係数Ｐ４，Ｐ６：２×２］に設定し（ステップＳ９４）、測距ポイント▲５▼を［優先度係数Ｐ５：３×２］に設定し（ステップＳ９５）、測距ポイント▲７▼，▲９▼を［優先度係数Ｐ７，Ｐ９：１×６］に設定し（ステップＳ９６）、測距ポイント▲８▼を［優先度係数Ｐ８：２×６］に設定する（ステップＳ９７）。
【０１４３】
次に、上記設定した優先度係数が”５”以上のものを選択する（ステップＳ９８）。これは、実際に相関演算や補間演算によって測距を行う時の測距ポイントを選ぶステップであり、Ｐ１  〜Ｐ９のうちの”５”以上の値を示すものを選ぶ。勿論、”５”は任意の値であり、状況等で変更することはあり得る。ここでは、測距ポイント▲５▼，▲７▼，▲９▼，▲８▼が選択される。
【０１４４】
そして選択された測距ポイントのうち、優先度が高い、即ち優先度係数が大きいものから順に測距を行う（ステップＳ９９）。この時、相関演算の段階で、主要被写体距離とは考えられないものはタイムラグ削減のために補間演算を行わず、測距シーケンスを途中でやめるようにしてもよい。この例における測距の順番は、測距ポイント▲８▼→▲７▼and▲９▼→▲５▼となる。そして、得られた測距結果で一番近い距離を主要被写体が存在する距離として選択し、ピント合わせ距離にするが、所定距離に近いものを選択したり、平均値をピント合わせ距離にしたりしてもよい（ステップＳ１００）。
【０１４５】
一方、上記ステップＳ９２の判定で、加算結果の差分（ＢＶ１−ＢＶ３）が輝度差ΔＢＶ０を越えなかった場合（ＮＯ）、ＡブロックとＢブロックとの輝度差（ＢＶ１−ＢＶ２）と、ＡブロックとＢブロックとの輝度差（ＢＶ１−ＢＶ３）を比べて、大きい輝度差の方を輝度差データＢＶyとして記憶する（ステップＳ１０１）。この輝度差データは、後に縦横構図判定を改めて行うために用いる。
【０１４６】
全画面における測距スポットの積分結果から、Ｄブロック（▲１▼，▲４▼，▲７▼）の測距スポットの輝度を加算した加算結果ＢＶ４を算出し（ステップＳ１０２）、続いてＥブロック（▲２▼，▲５▼，▲８▼）、Ｆブロック（▲３▼，▲６▼，▲９▼）の測距スポットの輝度を加算した加算結果ＢＶ５，ＢＶ６を算出する（ステップＳ１０３，Ｓ１０４）。
【０１４７】
次に、「空」を検出を行う。
【０１４８】
前述したステップＳ８５以降と同等に、加算結果ＢＶ４とＢＶ５との差（ＢＶ４−ＢＶ５）が所定の輝度差ΔＢＶ０よりも大きいか否かを判定する（ステップＳ１０２）。この判定で、加算結果の差分（ＢＶ４−ＢＶ５）が輝度差ＢＶ０を越えた場合（ＹＥＳ）、Ｄブロックのみが「空」であると考えられ、測距スポット▲１▼，▲４▼，▲７▼の輝度重み付けが”１”に設定され、Ｅブロックの測距スポット▲２▼，▲５▼，▲８▼の輝度重み付けが”６”に設定され、Ｆブロックの測距スポット▲３▼，▲６▼，▲９▼の輝度重み付けが”３”に設定される。また、位置重み付けは、前述したと同等である。
【０１４９】
これにより、測距ポイント▲１▼，▲７▼を［優先度係数Ｐ１，Ｐ７：１×１］に設定し（ステップＳ１０６）、測距ポイント▲４▼を［優先度係数Ｐ４：２×１］に設定し（ステップＳ１０７）、測距ポイント▲２▼，▲８▼を［優先度係数Ｐ２，Ｐ８：２×６］に設定し（ステップＳ１０８）、測距ポイント▲５▼を［優先度係数Ｐ５：３×６］に設定し（ステップＳ１０９）、測距ポイント▲３▼，▲９▼を［優先度係数Ｐ３，Ｐ９：１×３］に設定し（ステップＳ１１０）、測距ポイント▲８▼を［優先度係数Ｐ８：２×３］に設定する（ステップＳ１１１）。この後、上記ステップＳ９８に移行する。
【０１５０】
しかし、上記ステップＳ１０５において、加算結果の差分（ＢＶ４−ＢＶ５）が輝度差ＢＶ０を越えなかった場合には（ＮＯ）、続いて、加算結果ＢＶ４とＢＶ６との差（ＢＶ４−ＢＶ６）が所定の輝度差ΔＢＶ０よりも大きいか否かを判定する（ステップＳ１１２）。この判定で、加算結果の差分（ＢＶ４−ＢＶ６）が輝度差ΔＢＶ０より大きければ（ＹＥＳ）、Ｅブロックも「空」であり、Ｄブロックは最も軽い輝度重み付けとなる。
【０１５１】
従って、測距スポット▲１▼，▲４▼，▲７▼の輝度重み付けが”１”に設定され、Ｅブロックの測距スポット▲２▼，▲５▼，▲８▼の輝度重み付けが”２”に設定され、Ｆブロックの測距スポット▲３▼，▲６▼，▲９▼の輝度重み付けが”６”に設定される。また、位置重み付けは、前述したと同等である。
【０１５２】
これにより、測距ポイント▲１▼，▲４▼，▲７▼を［優先度係数Ｐ１，Ｐ４，Ｐ７：１×１］に設定し（ステップＳ１１３）、測距ポイント▲２▼，▲８▼を［優先度係数Ｐ２，Ｐ８：２×２］に設定し（ステップＳ１１４）、測距ポイント▲５▼を［優先度係数Ｐ５：３×２］に設定し（ステップＳ１１５）、測距ポイント▲３▼，▲９▼を［優先度係数Ｐ３，Ｐ９：１×６］に設定し（ステップＳ１１６）、測距ポイント▲６▼を［優先度係数Ｐ６：２×６］に設定する（ステップＳ１１７）。この後、上記ステップＳ９８に移行する。
【０１５３】
また、加算結果の差分（ＢＶ４−ＢＶ６）が輝度差ΔＢＶ０を越えなければ（ＮＯ）、ＤブロックとＥブロックとの輝度差（ＢＶ４−ＢＶ５）と、ＤブロックとＦブロックとの輝度差（ＢＶ４−ＢＶ６）を比べて、大きい輝度差の方を輝度差データΔＢＶtとして記憶する（ステップＳ１１８）。この輝度差データは、後に縦横構図判定を改めて行うために用いる。
【０１５４】
次に上記ステップＳ１０１で求められたΔＢＶyとΔＢＶtとの差分（ΔＢＶy−ΔＢＶt）が所定の輝度ΔＢＶ１よりも大きいか否かを比較する（ステップＳ１１９）。この判定で、差分（ΔＢＶy−ΔＢＶt）が所定の輝度ΔＢＶ１を越える場合には（ＹＥＳ）、改めて横長構図の可能性が高いものとして、上記ステップＳ８６に戻る。
【０１５５】
しかし、差分（ΔＢＶy−ΔＢＶt）が所定の輝度ΔＢＶ１を越えなかった場合には（ＮＯ）、測距スポット▲３▼，▲５▼，▲６▼，▲９▼の輝度重み付けを”６”に設定し、それ以外の測距スポット▲１▼，▲２▼，▲４▼，▲７▼，▲８▼の輝度重み付けを”１”に設定する。  これにより、測距ポイント▲５▼を［優先度係数Ｐ５：３×６］に設定し（ステップＳ１２０）、測距ポイント▲３▼，▲９▼を［優先度係数Ｐ３，Ｐ９：１×６］に設定し（ステップＳ１２１）、測距ポイント▲６▼を［優先度係数Ｐ６：２×６］に設定し（ステップＳ１２２）、これ以外の測距ポイント▲１▼，▲２▼，▲３▼，▲４▼，▲８▼を［優先度係数Ｐ１，Ｐ２，Ｐ４，Ｐ８：１×１］に設定する（ステップＳ１２３）。この後、上記ステップＳ９８に移行する。
【０１５６】
以上説明したように、本実施形態によれば、撮影画面内の測距ポイントにおける輝度変化の分布によって、主要被写体が存在する確率が低い領域、例えば「空」の領域における測距を省くようにしたので、前述した様な縦横検知機構は不要となる。
【０１５７】
前述した第１，第２の実施形態では、撮影画面内の位置や明るさの分布を分析して、測距の優先度を決めたため、撮影画面内に多数の測距ポイントを設けても、実際に測距に係わる処理を行う測距ポイントが選択され、測距にかかる時間が短縮され、ピント合わせまでが高速化される。
【０１５８】
次に図１９には、第３の実施形態として、スーパーコンビネーションＡＦと称されるオートフォーカス技術による測距部の概略的な構成を示し、この測距部を搭載したカメラについて説明する。
【０１５９】
図１９（ａ）は、被写体３１をプリ発光により被写体位置を検出する方式の測距を行う構成例を示している。
【０１６０】
まず、発光制御回路３３の制御によりストロボ３２から補助光を被写体３１に投光し、その反射信号光は、２つの受光レンズ３４ａ，３４ｂへ入射して、それぞれ２つのエリアセンサ３５ａ，３５ｂに入射する。
【０１６１】
これらのエリアセンサ３５ａ，３５ｂは、被写体像を受像して光電変換し、それらの出力はＡ／Ｄ変換回路３６でＡ／Ｄ変換されて、各画素のディジタル値が制御処理部（ＣＰＵ）３７に入力される。
【０１６２】
また、これらのエリアセンサ３５ａ，３５ｂには、定常光除去回路３８が接続されており、制御処理部３７の制御により、撮影画面から定常的に入射する直流的な光の信号は除去され、ストロボ３２からのパルス光（補助光）のみが出力信号として得られるようになっている。
【０１６３】
従って、定常光除去回路３８を作動させた状態で、反射信号光をエリアセンサ３５ａ，３５ｂ上に受光させると、その受光面には、図１９（ｂ）に示すような黒の部分からなる像３９を結ぶことになる。このようなエリアセンサ上に結像された像のパターンの分析は、制御処理部３７内のパターン制御部４０によって行い、例えば、像パターンが人間の形であると判定されれば、これを主要被写体と考えることができる。この像のパターンの分析は、パターン制御部４０に組み込まれたソフトウエアによって実現される。また制御処理部３７には、パターンされた音声によりユーザに知らせる撮影に関する情報やカメラの状態を音声発生部４１が接続されている。
【０１６４】
図２０に示すフローチャートを参照して、上記測距部による測距について説明する。
【０１６５】
まず、測距を実施するに先立って、投光制御回路３３の制御によりストロボ３２をプリ発光させて、被写体３１に補助光を投光し、その反射信号光をエリアセンサ３５ａ，３５ｂに入射する。その時、定常光除去回路３８を作動させて、エリアセンサ３５ａ，３５ｂに結像した反射信号光から定常光を除去して反射信号光の像信号のみを取り出す（ステップＳ１３１）。
【０１６６】
そして、Ａ／Ｄ変換回路３６でＡ／Ｄ変換された像信号を制御処理部３７に入力して、ソフトウエアによってエリアセンサ３５ａ，３５ｂ上に結像された像パターンの分析を行う（ステップＳ１３２）。
【０１６７】
この分析された像パターンが人物の形状等であり、主要被写体か否かを判定する（ステップＳ１３３）。この判定で、像パターンが主要被写体と判定できなかった、即ち主要被写体の位置が特定できなかった場合には（ＮＯ）、その像パターンに輝度情報等を加味して、そのコントラストが予め定めた所定値と比較して低いか否かを判定する（ステップＳ１３４）。この判定で、コントラストが低ければ（ＹＥＳ）、アクティブ方式を選択した後、被写体の存在確率の高い画面中央部を重点的に測距する（ステップＳ１３５）。
【０１６８】
そして制御処理部３７が予め記憶する発音信号パターンの中から、主要被写体の位置が特定できない、及び撮影画面の中央部を測距する旨のパターンを選択して、音声発生部４１から発音パターン１（音声）によりユーザに知らせる（ステップＳ１３６）。しかし、上記ステップＳ１３４の判定で、コントラストが所定値よりも高ければ（ＮＯ）、後述する測距ポイントの優先度を判定し（ステップＳ１３７）、優先度の高い測距ポイントから順次、測距を行う（ステップＳ１３８）。制御処理部３７が予め記憶する発音信号パターンの中から、主要被写体の位置や測距を行う測距ポイントの順番等を音声発生部４１から発音パターン４（音声）によりユーザに知らせる（ステップＳ１３９）。
【０１６９】
一方、上記ステップＳ１３３の判定で、像パターンが主要被写体と判定された場合（ＹＥＳ）、像パターンを形成する像信号（光信号）の強弱及び十分なコントラストか否かにより、測距をアクティブ方式で行うかパッシブ方式で行うかを判別（ステップＳ１４０）。
【０１７０】
この判定で、像信号（光信号）により充分なコントラストが得られない場合には（ＹＥＳ）、アクティブ方式による測距を選択する。従って、再度、ストロボ３２から測距用光を被写体３１に照射して、定常光除去回路３８を作動させて、エリアセンサ３５ａ，３５ｂに結像した反射信号光から定常光を除去して反射信号光の像信号のみを取り出す（ステップＳ１４１）。そして、プリ発光により求められた主要被写体位置に対して、重点的にアクティブ方式の測距を行なう（ステップＳ１４２）。
【０１７１】
そして、記憶された発音パターンの中から、主要被写体の位置が特定され、及びアクティブ方式の測距を選択して、音声発生部４１から発音パターン３（音声）によりユーザに知らせて（ステップＳ１４３）、リターンする。
【０１７２】
一方、上記ステップＳ１４０の判定で、像信号が弱いと判断された場合には（ＮＯ）、すでに求められた主要被写体位置の像信号を重点的に用いたパッシブ方式による測距を行なう（ステップＳ１４４）。
【０１７３】
そして、発音パターンの中から、主要被写体の位置が特定され、及びアクティブ方式の測距を選択して、発音部４０９から発音パターン２（音声）によりユーザに知らせて（ステップＳ１４５）、リターンする。
【０１７４】
よって本実施形態によれば、これらの測距方式、または主要被写体の判別の可否に従って、制御処理部１が発音パターン（音声）を選択すれば、設定されている撮影条件等がユーザにわかりやすく安心感がある。このスーパーコンビネーションＡＦの特徴をアピールしながら安心感のある測距ができるカメラが提供できる。
【０１７５】
尚、このスーパーコンビネーションＡＦは、アクティブ方式とパッシブ方式で単にハイブリッド的に組み合わせたのではなく、２つの方式を用いて主要被写体検知まで行っていため称されている。
【０１７６】
図２１に示すフローチャートを参照して、前述したステップＳ１３７における測距の優先度判定方法について説明する。ここで、撮影画面上の測距ポイントは、前述した図１３（ａ）に示した９分割（▲１▼〜▲９▼の位置）を例とする。また、図２２（ａ）には、横長構図の撮影画面の一例を示し、図２２（ｂ）には、縦長構図の撮影画面の一例を示している。
【０１７７】
まず、撮影画面の構図の縦横を検出するために反射信号光量を比較する。即ち、図２２（ａ）に示す測距ポイント▲１▼，▲２▼，▲３▼，▲４▼，▲６▼の反射信号光の光量和Ｋ１を算出し（ステップＳ１５１）、及び図２２（ｂ）に示す測距ポイント▲１▼，▲２▼，▲４▼，▲７▼，▲８▼の反射信号光の光量和Ｋ２を算出する（ステップＳ１５２）。
【０１７８】
そして、この光量和Ｋ２が光量和Ｋ１よりも大きいか否かを比較する（ステップＳ１５３）。この比較において、光量和Ｋ２が光量和Ｋ１よりも大きい場合（ＹＥＳ）、横長構図と考えられ、Ａブロックの測距ポイント▲１▼，▲２▼，▲３▼には、主要被写体が存在しにくいものとして「空」であると想定する。これにより、測距ポイント▲１▼，▲２▼，▲３▼の位置重み付けは、”１”とする（ステップＳ１５４）。測距ポイント▲５▼，▲８▼には、主要被写体が存在する確率が高いので、位置重み付けを”４”に設定する（ステップＳ１５５）。また、その他の測距ポイント▲４▼，▲６▼，▲７▼，▲９▼は、主要被写体の存在する確率が中間に位置するものとして、位置重み付けを”２”に設定する（ステップＳ１５６）。
【０１７９】
一方、上記ステップＳ１５２の判定で、光量和Ｋ２が光量和Ｋ１に満たない場合（ＮＯ）、縦長構図と考えられ、Ｄブロックの測距ポイント▲１▼，▲４▼，▲７▼には、主要被写体が存在しにくいものとして「空」であると想定する。これにより、測距ポイント▲１▼，▲４▼，▲７▼の位置重み付けは、”１”とする（ステップＳ１５７）。測距ポイント▲５▼には、主要被写体が存在する確率が高いので、位置重み付けを”８”に設定する（ステップＳ１５８）。この測距ポイント▲５▼は、撮影画面が縦長構図の場合には、ポートレートであることが多いため、中央の重み付けを増してある。また、その他の測距ポイント▲２▼，▲３▼，▲６▼，▲８▼，▲９▼は、主要被写体の存在する確率が中間に位置するものとして、位置重み付けを”２”に設定する（ステップＳ１５９）。
【０１８０】
これらの測距ポイントの位置重み付け設定の後、次に、予め定めた所定の光量を越える測距ポイントの輝度重み付けを”２”に設定する（ステップＳ１６０）。この設定は、所定の光量以上の光量が得られる測距ポイントは、図２３（ａ）に示すような構図で、手前のビンやテーブル等が該当するため、輝度重み付けを低く設定して、主要被写体となる人物にピント合わせできなくなること防止するためである。
【０１８１】
次に、上記ステップＳ１６０において、輝度重み付けが低く設定された測距ポイントを除いた測距ポイントの中から最大光量の測距ポイントの輝度重み付けを”６”に設定する（ステップＳ１６１）。そして次に光量が大きい測距ポイントの輝度重み付けを”３”に設定し（ステップＳ１６２）、その後に次き光量が大きい測距ポイントの輝度重み付けを”２”に設定し（ステップＳ１６３）、これらに続く残りの測距ポイントの輝度重み付けを”１”に設定する（ステップＳ１６４）。
【０１８２】
次に、輝度重み付けの大きく測距ポイントから順に、位置重み付けと輝度重み付けの乗算による優先度係数Ｐを求める（ステップＳ１６５）。そして、優先度係数Ｐが大きい測距ポイントが優先度の高いものとして、一番大きなものから３番目までの測距ポイントを選択して、これらの測距ポイントの測距を行う（ステップＳ１６６）。
【０１８３】
例えば、図２３（ａ）の撮影画面における構図では、図２３（ｂ）に示すように、一番手前に置かれている瓶の位置の測距ポイントは除外され、測距ポイント▲３▼，▲５▼，▲６▼が選択された測距ポイントとなる。このようにして得られた３つの測距ポイントを重点的に測距し、その他の測距ポイントの測距処理を行わなければ、シャッタを押してから露光されるまでに行われる測距にかかる時間が短縮され、シャッタタイムラグが短くなり、しかも高精度のピント合わせができる。
【０１８４】
前述したように、従来のパッシブ測距における相関演算や補間演算は、複雑な演算を行っていたため、タイムラグを生じやすく、多大なプログラム容量やメモリの容量も必要としていたが、本実施形態のように多数の測距ポイントの中から３つ程度の測距ポイントに絞り込むことにより、上記した問題を大きく改善することができる。
【０１８５】
こうして得られた３つの測距ポイントの測距結果から、最も主要被写体が存在しやすい距離を選択してピント合わせを行うが、この時、まず相関演算のみを行って、大ざっぱな距離分布を求め、ピント合わせを行う測距ポイントが決った後、補間演算を行うようにすれば、さらに効果を高めることができる。
【０１８６】
以上の実施形態について説明したが、本明細書には以下のような発明も含まれている。
【０１８７】
（１）撮影画面内に複数の測距ポイントを有する多点測距カメラであって、
少なくとも上記個々の測距ポイントに対する入射光輝度情報を出力する多点測光手段と、
個々の測距ポイントの撮影画面上の位置情報と、該個々の測距ポイントでの入射光輝度分布情報とに基づいて、測距演算を実施すべきいくつかの測距点を抽出する抽出手段と、
を具備し、
この抽出されたいくつかの測距点のみにおいて測距演算を行い、その中から所定の条件に合致する一つを求め、当該測距ポイントに撮影レンズの焦点を合わせるようにしたことを特徴とする多点測距カメラ。
【０１８８】
（２）上記抽出手段は、撮影画面の天地方向を検出する検出手段を含み、天地方向を加味して上記測距演算を実施すべきいくつかの測距点を抽出することを特徴とする上記（１）項に記載の多点測距カメラ。
【０１８９】
【発明の効果】
以上詳述したように本発明によれば、撮影画面内の位置や明るさの分布を分析して、測距ポイントの優先度を決め、主要被写体が存在する確率が低い領域における測距を省き、廉価な構成で、正しい主要被写体に高速でピント合わせを行う多点測距装置を提供することができる。
【図面の簡単な説明】
【図１】第１の実施形態に係る測距装置の概略的な構成例を示す図である。
【図２】図１に示した測距装置に用いるセンサアレイ（ラインセンサ）の一部分を含む積分制御を行うための構成を示す図である。
【図３】図３（ａ）は、図１に示した測距装置における積分制御について説明するためのタイミングチャート及び図３（ｂ）は、その成分制御で得られた像信号の一例を示す図である。
【図４】本発明の測距装置に用いられる三角測距方式の基本原理と一般的な装置構成を示す図である。
【図５】図５（ａ）乃至（ｄ）は、「補間演算」プロセスについて説明するための図である。
【図６】図６（ａ）は、撮影画面の縦長構図の一例示す図、図６（ｂ）は、撮影画面の横長構図を示す図である。
【図７】図７（ａ）は、第１の実施形態に適用するように配置されたラインセンサによる構成例を示す図、図７（ｂ）は、この配置による測距領域を示す図である。
【図８】第１の実施形態に適用するようエリアセンサによる構成例を示す図である。
【図９】図８（ａ）乃至（ｃ）は、カメラの向きを検知する縦横検知機構の構成例を示す図である。
【図１０】第１の実施形態の測距装置における測距のメインルーチンについて説明するためのフローチャートである。
【図１１】縦横検知機構を用いて優先度決定について詳細に説明するためのフローチャートである。
【図１２】図１１のフローチャートに続き、優先度決定について詳細に説明するためのフローチャートである。
【図１３】図１３（ａ）は、撮影画面を分割して、それぞれの測距ポイント位置を示す図、図１３（ｂ），（ｃ）は、撮影画面の例を示す図である。
【図１４】横長撮影画面における縦横の構図判定について説明する図である。
【図１５】縦長撮影画面における縦横の構図判定について説明する図である。
【図１６】図１６（ａ）乃至（ｃ）は、測距ポイントと空部の関係を示す図である。
【図１７】縦横検知機構を用いずに測距ポイントの優先度の選択について説明するためのフローチャートである。
【図１８】図１１のフローチャートに続き、優先度決定について詳細に説明するためのフローチャートである。
【図１９】第３の実施形態として、スーパーコンビネーションＡＦによる測距部の概略的に構成を示す図である。
【図２０】第３の実施形態の測距部による測距について説明するためのフローチャートである。
【図２１】図２０における測距の優先度判定方法について説明するためのフローチャートである。
【図２２】図２２（ａ）は、横長構図の撮影画面の一例を示し、図２２（ｂ）は、縦長構図の撮影画面の一例を示す図である。
【図２３】図２３（ａ）は、構図の一例を示し、図２３（ｂ）は同図（ａ）の構図における測距ポイントの優先度係数の設定例を示す図である。
【図２４】撮影画面内に複数の測距ポイントを配置した例を示す図である。
【図２５】図２４に示した測距ポイントの測距について説明するためのフローチャートである。
【符号の説明】
１…演算制御部（ＣＰＵ）
２ａ，２ｂ…センサアレイ
３ａ，３ｂ…受光レンズ
４…相関演算部
５…被写体
６…積分制御部
７…選択部
８…Ａ／Ｄ変換部
９…ピント合わせ部
１０…受光素子（Ｓ１〜Ｓ４）
１１…バイアス回路
１２…積分スイッチ群
１２ａ…積分スイッチ群
１２ｂ…リセットスイッチ群
１３…電流積分アンプ（Ａ１〜Ａ４）
１４…最大値検出部
１５…最大値検出用スイッチ群
１６…選択スイッチ
【図１】
0004450899.tif 000006
【図２】
0004450899.tif 000007
【図３】
0004450899.tif 000008
【図４】
0004450899.tif 000009
【図５】
0004450899.tif 000010
【図６】
0004450899.tif 000011
【図７】
0004450899.tif 000012
【図８】
0004450899.tif 000013
【図９】
0004450899.tif 000014
【図１０】
0004450899.tif 000015
【図１１】
0004450899.tif 000016
【図１２】
0004450899.tif 000017
【図１３】
0004450899.tif 000018
【図１４】
0004450899.tif 000019
【図１５】
0004450899.tif 000020
【図１６】
0004450899.tif 000021
【図１７】
0004450899.tif 000022
【図１８】
0004450899.tif 000023
【図１９】
0004450899.tif 000024
【図２０】
0004450899.tif 000025
【図２１】
0004450899.tif 000026
【図２２】
0004450899.tif 000027
【図２３】
0004450899.tif 000028
【図２４】
0004450899.tif 000029
【図２５】
0004450899.tif 000030